(57)【要約】【課題】輝度補正にともなう電力消費を低減することができる陰極線管装置を提供すること。【解決手段】映像信号に補正電圧を加算することによって、画面周辺部での輝度低下を補正する陰極線管装置において、走査位置に同期して補正電圧を出力する補正電圧出力部４０と、輝度補正の実行を制御する輝度補正制御部５０とを備え、輝度補正制御部５０は、輝度検知回路５１によって所定時間における平均画面輝度を検知して、平均画面輝度が基準値以上の時には通常どおりの輝度補正を実行し、平均画面輝度が基準値未満のときには、補正電圧出力部４０の出力をＯＦＦにする制御を行う。【選択図】          図１
2004253929.tif 000002
【特許請求の範囲】
【請求項１】
映像信号に補正電圧を加算することによって、画面周辺部での輝度低下を補正する陰極線管装置において、
走査に同期して前記補正電圧を出力する補正電圧出力手段と、
輝度補正の実行を制御する輝度補正制御手段と、を備え、
当該輝度補正制御手段は、所定時間における平均画面輝度を検知するとともに、
平均画面輝度が基準値未満のときには、前記補正電圧出力手段の出力をＯＦＦにする制御を行うことを特徴とする陰極線管装置。
【請求項２】
前記輝度補正制御手段は、アノード電流を積算する回路を備え、所定時間におけるアノード電流の積算値に基づいて、平均画面輝度を検知することを特徴とする請求項１記載の陰極線管装置。
【請求項３】
前記輝度補正制御手段は、アノード電流の積算値に基づいて電子ビームの射出量を低減させて輝度を制限することで、高圧回路が過負荷となることを防止する自動輝度制限回路を備え、
当該自動輝度制限回路が検知するアノード電流の積算値に基づいて、平均画面輝度を検知することを特徴とする請求項１又は請求項２記載の陰極線管装置。
【請求項４】
前記補正電圧出力手段は、電子ビームの偏向角が増大するにつれて漸次上昇するフォーカス電圧を発生させるダイナミックフォーカス回路を有し、
前記ダイナミックフォーカス回路が発生するダイナミックフォーカス電圧を前記補正電圧として出力することを特徴とする請求項１から請求項３のうちいずれか一項記載の陰極線管装置。
【請求項５】
前記補正電圧出力手段は、
電子ビームの偏向量のひずみを補正するＳ字補正回路に取り付けられるＳ字補正用コンデンサの両端にかかる電圧を前記補正電圧として出力することを特徴とする請求項１から請求項３のうちいずれか一項記載の陰極線管装置。
【請求項６】
映像信号に補正電圧を加算することによって、画面周辺部での輝度低下を補正する陰極線管装置において、
ダイナミックフォーカス回路が発生するダイナミックフォーカス電圧を前記補正電圧として利用することを特徴とする陰極線管装置。
【請求項７】
映像信号に補正電圧を加算することによって、画面周辺部での輝度低下を補正する陰極線管装置において、
電子ビームの偏向量のひずみを補正するＳ字補正回路に取り付けられるＳ字補正用コンデンサの両端にかかる電圧を前記補正電圧として利用することを特徴とする陰極線管装置。
【発明の詳細な説明】
【０００１】
【発明の属する技術分野】
本発明は、陰極線管装置に関し、特に、映像信号に補正電圧を加算することによって、画面周辺部での輝度低下を補正する陰極線管装置に関する。
【０００２】
【従来の技術】
陰極線管（以下、「ＣＲＴ」と表記する。）装置では、画像が画面に表示されたときに、画面周辺部で輝度が低下することが知られている。これは、偏向角の増大にともない、電子ビーム軌道が長大化するため、電子ビームのスポットが楕円状に変形し、電子ビームの密度が疎となることにより生じるとされている。また、パネル部は、画面周辺部に近づくほど肉厚な構造になっているため、電子ビームが発する光の透過率が画面周辺部に近づくにつれて小さくなることも、画面周辺部で輝度が低下する一因となっている。そこで、水平走査に同期したパラボラ状の補正電圧をコントラストコントロール電圧に加算し、画面周辺部の走査時に、射出する電子ビームの量を増加させることによって、画面周辺部での輝度低下を補正している（例えば、特許文献１）。
【０００３】
【特許文献１】
特開平５−２９２４２６号公報
【０００４】
【発明が解決しようとする課題】
このように、従来のＣＲＴ装置においては、画面周辺部での輝度低下を是正する上で、高く評価される技術ではあるが、その反面、走査中、常時輝度補正を行っているために、例えば、画面全体が暗く、画面周辺部での輝度低下があまり目立たない低輝度画像を表示する場合には、むしろ電力の浪費がなされるだけという弊害が生じている。
【０００５】
本発明は、上記のような問題点に鑑みてなされたものであり、画面周辺での輝度補正は行いつつも、輝度補正にともなう電力の消費を有効に低減し得るＣＲＴ装置を提供することを目的としている。
【０００６】
【課題を解決するための手段】
全体が明色で構成されている画面は、画面全体の輝度が高く、輝度補正が実行されないと画面周辺部での輝度低下が顕著にあらわれるので、輝度補正をする必要があるが、全体が暗色で構成されている画面は、画面中央部の輝度も低く、画面周辺部での輝度低下はあまり目立たないので、輝度補正を実行する必要性は低いと考えられる。また、暗色地に明色の文字が表示されている画面は、たとえ明色の文字が画面周辺部で表示されている場合でも、地色が暗色であり、明色と暗色とでコントラストが強く、輝度低下によって明色の文字が認識しづらいということはほとんどないので、輝度補正をする必要性は低いと考えられる。
【０００７】
そこで、本発明に係る陰極線管装置は、走査に同期して補正電圧を出力する補正電圧出力手段と、輝度補正の実行を制御する輝度補正制御手段とを備え、当該輝度補正制御手段は、所定時間における平均画面輝度を検知するとともに、平均画面輝度が基準値未満のときには、補正電圧出力手段の出力をＯＦＦにする制御を行うことを特徴としている。
【０００８】
上記の構成では、輝度補正の実行を制御する輝度補正制御部を備え、所定時間における平均画面輝度が基準値未満になったときには、補正電圧出力部の出力をＯＦＦとし、輝度補正を実行しない制御をする。したがって、例えば、画面全体が暗く、画面周辺部での輝度低下があまり目立たない画面のように、輝度補正をする必要性が低い場合には、輝度補正を実行しない制御を行うので、消費電力を低減することができる。
【０００９】
ここで、輝度補正制御手段は、アノード電流を積算する回路を備え、所定時間におけるアノード電流の積算値に基づいて、平均画面輝度を検知することが好ましい。輝度に相関するアノード電流を積算することによって、平均画面輝度を容易に検知することができるので、かかる構成にすることによって、平均画面輝度を検知するための回路構成を容易にすることができる。
【００１０】
具体的に、輝度補正制御手段は、アノード電流の積算値に基づいて電子ビームの射出量を低減させて輝度を制限することで、高圧回路が過負荷となることを防止する自動輝度制限回路を備え、当該自動輝度制限回路が検知するアノード電流の積算値に基づいて、平均画面輝度を検知することが好ましい。自動輝度制限回路は、通常、陰極線管装置に備えられるものであって、アノード電流を積算する機能を有しているので、この積算値に基づいて、平均画面輝度を検知する回路構成とすることによって、陰極線管装置の製造コストを抑えることができる。
【００１１】
さらに、補正電圧出力手段は、電子ビームの偏向角が増大するにつれて漸次上昇するフォーカス電圧を発生させるダイナミックフォーカス回路を有し、当該ダイナミックフォーカス回路が発生するダイナミックフォーカス電圧を補正電圧として出力することが好ましい。かかる構成では、ダイナミックフォーカス回路が発生する電圧を輝度補正の補正電圧として利用しており、従来の陰極線管装置のようにパラボラ状の補正電圧を発生させる回路を別途形成する必要がないので、陰極線管装置の製造コストを抑えることができる。
【００１２】
または、補正電圧出力手段は、電子ビームの偏向量のひずみを補正するＳ字補正回路に取り付けられるＳ字補正用コンデンサの両端にかかる電圧を補正電圧として出力することが好ましい。かかる構成では、Ｓ字補正用コンデンサの両端にかかる電圧を輝度補正の補正電圧として利用しており、従来の陰極線管装置のようにパラボラ状の補正電圧を発生させる回路を別途形成する必要がないので、陰極線管装置の製造コストを抑えることができる。
【００１３】
本発明に係る他の陰極線管装置は、ダイナミックフォーカス回路が発生するダイナミックフォーカス電圧を補正電圧として利用することを特徴とする。かかる構成では、ダイナミックフォーカス回路が発生する電圧を輝度補正の補正電圧として利用しており、従来の陰極線管装置のようにパラボラ状の補正電圧を発生させる回路を別途形成する必要がないので、陰極線管装置の製造コストを抑えることができる。
【００１４】
【発明の実施の形態】
以下、本発明に係るＣＲＴ装置の実施の形態について、図面を参照しながら説明する。
（実施の形態１）
はじめに、図１を参照しながら、ＣＲＴ装置の構成について説明する。図１は、ＣＲＴ装置１０の回路構成を示す図である。ＣＲＴ装置１０は、ＣＲＴ２０と、映像信号処理を行うＲＧＢプロセッサ３０と、補正電圧を出力する補正電圧出力部４０と、補正電圧出力部４０の出力を制御する輝度補正制御部５０と、コントラストを調節するバイアス抵抗６０とを備える。
【００１５】
輝度補正制御部５０は、所定時間の平均画面輝度を検知する輝度検知回路５１と、平均画面輝度と基準値とを比較する比較器５２と、比較器５２による比較結果に基づいて、補正電圧出力部４０の出力をＯＮ・ＯＦＦするオープンコレクタ型インバータ（以下、「ＯＣ」と表記する。）５３とを有する。
比較器５２のマイナスの入力端子には、輝度検知回路５１の出力端子が接続され、プラスの入力端子には、基準電圧Ｖｃが印加される。比較器５２の出力端子は、抵抗器５４を介して、接点ａにおいてＯＣ５３に接続され、接点ａは、抵抗器５５を介して接地される。なお、ＯＣ５３の出力端子が、輝度補正制御部５０の出力端子とされる。
【００１６】
補正電圧出力部４０は、水平走査に同期してパノラマ状の補正電圧を発生させる補正電圧発生回路４１と、補正電圧発生回路４１の出力を増幅するトランジスタ４２と、トランジスタ４２の駆動電源Ｖｔと、出力波形の直流分をカットするコンデンサ４３とを有している。トランジスタ４２のベースには補正電圧発生回路４１の出力が接続され、エミッタは抵抗器４４を介して接地され、コレクタは、接点ｂにおいて、輝度補正制御部５０の出力端子に接続される。また、トランジスタ４２のコレクタは、抵抗器４５を介して駆動電源Ｖｔに接続されるとともに、コンデンサ４３の一端に接続される。コンデンサ４３の他端は、バイアス抵抗６０に接続され、補正電圧出力部４０が出力する補正電圧は、コントラストコントロール電圧に加算されて、ＲＧＢプロセッサ３０に入力される。
【００１７】
以下、図１を参照しながら、ＣＲＴ装置１０の動作について説明する。ＣＲＴ２０は、図示を省略する水平同期回路及び垂直同期回路によりスクリーン左端から右端にかけて、繰り返し水平走査されつつ、スクリーン上端から下端に向けて垂直走査される。この走査に同期して、映像信号がＲＧＢプロセッサ３０でＲＧＢ各色に分解されて、インライン配列された３本の電子銃のカソードに印加される。これによって、映像信号が、ＣＲＴ２０の画面上に映像として表示される。
この表示動作に際し、ＲＧＢプロセッサ３０には、補正電圧出力部４０で作成された出力が印加され、ＲＧＢの各映像信号に加算される。
【００１８】
ここで、輝度補正制御部５０が作動していない場合を想定すると、補正電圧発生回路４１の発生する補正電圧は、水平走査に同期したパノラマ状であるので、走査位置がスクリーン左端もしくは右端よりであるときは、補正電圧発生回路４１の発生する電圧は高く、走査位置がスクリーン中央に近づくほど低くなり、トランジスタ４２によって増幅される。この電圧は、コンデンサ４３を通じて直流分をカットされ、交流成分がバイアス抵抗６０から得られるコントラストコントロール電圧に重畳されてＲＧＢプロセッサ３０に印加される。したがって、補正電圧が加算された映像電圧は、スクリーン周辺において、輝度が高く、中央に近づくにつれて低輝度となる変調が掛けられることになる。
【００１９】
この変調は、輝度補正制御部５０が作動しないと、常時実行されるため、従来の技術の項において説明したように、画面全体が暗くて、輝度低下が余り目立たない場合には、電力の浪費になってしまうのであるが、本実施例では、輝度補正制御部５０が次のように作動し、電力の浪費を解消している。すなわち、輝度補正制御部５０は、所定時間における平均画面輝度を検知し、平均画面輝度が基準値より高いときには、上述のように、補正電圧出力部４０から補正電圧を出力させて輝度補正を実行するが、平均画面輝度が基準値より低いときには、補正電圧出力部４０の出力をＯＦＦとして、輝度補正を実行しない制御を行う。
【００２０】
輝度検知回路５１は、所定時間に流れるアノード電流を積算する輝度コンデンサを有しており、輝度コンデンサの容量は、アノード電流の流入量に対して十分に大きいので、アノード電流の流入による充電作用と、電荷を放出する放電作用とのバランスで、輝度コンデンサの両端電圧が変化する。ここで、走査時において、アノード電流は、スクリーンの一点一点に照射された電子ビームの量、すなわち、輝度によって変化し、輝度コンデンサの両端電圧は、所定時間において回路に流れたアノード電流の積算値に略比例するので、輝度コンデンサの両端電圧は、所定時間における平均画面輝度を示唆するものである。
【００２１】
高輝度の映像信号がＲＧＢプロセッサ３０に入力されると、ＣＲＴ２０の電子銃から多量の電子ビームが射出され、スクリーン上には、高輝度画面が表示される。このとき、大きなアノード電流が流れるので、輝度検知回路５１の輝度コンデンサでは、放電作用に比べて充電作用が大きくなり、平均画面輝度を示唆する輝度コンデンサの両端電圧は高くなる。輝度コンデンサの両端電圧が基準電圧Ｖｃより高いときには、比較器５２は、Ｌｏｗ信号をＯＣ５３に出力する。Ｌｏｗ信号を受信したＯＣ５３の出力は、オープン状態になる。これにより、接点ｂには、抵抗器４５を介して駆動電圧Ｖｔが印加されるため、トランジスタ４２が作動し、補正電圧発生回路４１の出力は、トランジスタ４２によって増幅され、結合コンデンサ４３により直流分がカットされた後に、その交流分が補正電圧としてコントラストコントロール電圧に重畳されることで輝度補正が行われる。
【００２２】
ここで、画面全体が暗い映像信号がＲＧＢプロセッサ３０に入力されると、ＣＲＴ２０の電子銃が射出する電子ビームの量が減少し、これによってアノード電流も減少する。すると、輝度検知回路５１の輝度コンデンサでは、充電作用に対して放電作用が強くなるので、平均画面輝度を示唆する輝度コンデンサの両端電圧が低下する。この両端電圧が基準電圧Ｖｃを下回ると、比較器５２からＯＣ５３へＨｉｇｈ信号が送信される。すると、ＯＣ５３の出力は、接地状態となり、接点ｂの電位が０Ｖになるので、トランジスタ４２は作動せず、補正電圧発生回路４１からは補正電圧が出力されない。これにより、コントラストコントロール電圧のみが、ＲＧＢプロセッサ３０に入力されて、補正電圧が加算されない状態で電子ビームが走査されて映像が表示される。このとき、画面周辺部での輝度の低下を改善する補正はなされていないが、表示される映像は、画面全体が暗く、画面中央部の輝度も低いので、画面周辺部での輝度の低下はほとんど目立たたず問題とはならない。
【００２３】
このように、本実施の形態に係るＣＲＴ装置１０は、平均画面輝度が高い画面については、輝度補正を実行するが、平均画面輝度が比較的低く、輝度補正をする必要性が低い画面については、補正電圧を出力せずに輝度補正を実行しない制御を行うので、一律的に輝度補正を実行していた従来のＣＲＴ装置より、電力消費を低減することができる。
【００２４】
ここで、所定時間の平均画面輝度を検知する輝度検知回路５１として、ＡＢＬ回路が挙げられる。ＡＢＬ回路は、輝度が異常に高くなると受像管に大きなアノード電流が流れて高圧回路が過負荷となり、水平出力用トランジスタ等が破損することを防止するために、ＣＲＴ装置に通常備えられるものである。ＡＢＬ回路は、通常アノード電流を積算するコンデンサを有しており、所定時間の平均画面輝度を検知し、これが所定値を超えたときには、カソード電圧を変調することで電子ビームの射出量を減少させて上記弊害を防止する。したがって、ＡＢＬ回路によるアノード電流に基づいて平均画面輝度を検知する機能を輝度検知回路５１に併用することによって、ＣＲＴ装置１０の製造コストを抑えることができる。
【００２５】
また、基準電圧Ｖｃの大きさは、任意に設定することができる。基準電圧Ｖｃを大きな値にとると、補正電圧が出力されないケースが増え、電力消費の観点からは有益であるが、画面周辺部での輝度低下が目立つ画面が増えることになる。
一方、基準値を小さい値にとると、画面周辺部での輝度低下が目立つ画面を減少させることができるが、比較的暗い画面についても補正電圧が出力されて輝度補正がなされるため、電力消費に関して不利となる。したがって、基準電圧Ｖｃは、電力消費と輝度低下の許容範囲との兼ね合いに基づいて最も良好な値に定める。
【００２６】
以上より、本実施の形態に係るＣＲＴ装置１０は、所定時間における平均画面輝度を検知し、画面全体が暗く、輝度補正をする必要性が低いときには、輝度補正を実行しない制御をするので、電力の消費を低減することができる。
【００２７】
（実施の形態２）
次に、本発明の第２の実施の形態に係るＣＲＴ装置について説明する。第２の実施の形態に係るＣＲＴ装置は、基本的な構成は、第１の実施の形態に係るＣＲＴ装置と同様であるが、補正電圧発生回路４１として、ダイナミックフォーカス回路（以下、「ＤＡＦ回路」と表記する。）を利用する。ＤＡＦ回路は、そもそも、偏向角の変化に対応して電子ビームを蛍光体スクリーン上で一点にフォーカスするためにＣＲＴ装置に装備されるものであって、水平走査に同期して、走査位置がスクリーン左端もしくは右端であるときは高い電圧は発生し、走査位置がスクリーン中央に近づくほど低い電圧を発生する。したがって、ＤＡＦ回路が発生する電圧を輝度補正の補正電圧として利用すると、画面周辺部での輝度低下を改善することができる。
【００２８】
さらに、垂直走査に同期して、走査位置がスクリーン上端もしくは下端であるときに高い電圧を発生し、走査位置がスクリーン中央に近づくほど低い電圧を発生するＤＡＦ回路を用いると、垂直走査に同期して、かかる電圧が重畳されるので、スクリーン上端及び下端で生じる輝度低下についても改善がなされる。この場合、画面パネルの垂直方向の厚みが画面中央部で薄く、画面周辺部で厚いＣＲＴにおいて、画面周辺部で画面パネルの厚みによって光の透過率が低下することを有効に補正できるので、特に効果を奏することになる。
【００２９】
以上より、ＤＡＦ回路が発生する電圧を、映像信号に加算すると、画面周辺部での輝度の低下が改善され、また、ＤＡＦ回路は、ＣＲＴ装置に通常装備されるものであるので、ＤＡＦ回路を補正電圧発生回路４１に兼用することで、ＣＲＴ装置１０の製造コストを抑えることができる。
【００３０】
さらに、図２のように、ＤＡＦ回路４１とトランジスタ４２との間に、ツェナーダイオード４６、抵抗器４７及び抵抗器４８で構成される平滑化回路を形成することによって、ＤＡＦ回路４１の出力波形の形状を平滑化することができる。
これにより、画面中央部付近では厚さが均一であり、画面周辺部での厚みが大きく増しているフラット化された画面パネルを有するＣＲＴの場合について、補正電圧の形状を画面パネルの厚みに対応させたものとすることができるので、画面パネルの厚みの増大によって光の透過率が減少することにより生じていた画面周辺部での輝度の低下を改善することができる。
【００３１】
（実施の形態３）
次に、本発明の第３の実施の形態に係るＣＲＴ装置について説明する。第３の実施の形態に係るＣＲＴ装置は、基本的な構成は、第１の実施の形態に係るＣＲＴ装置と同様であるが、補正電圧発生回路４１は、電子ビームの偏向量をＳ字補正する回路に存するＳ字補正コンデンサの両端に印加される電圧を補正電圧として出力する。Ｓ字補正コンデンサの両端電圧の波形は、パラボラ状であり、かつ、水平走査に同期しているので、輝度補正の補正電圧として利用することができる。これにより、パラボラ状の波形を発生させる回路を、別途作成する必要がなくなるので、ＣＲＴ装置の製造コストを抑えることができる。さらに、Ｓ字補正コンデンサの両端電圧の波形を平滑化する平滑化回路を取り付けることで、第２の実施の形態に係るＣＲＴ装置のように、フラット化された画面に対応した補正をすることができる。
【００３２】
（実施の形態４）
従来、画面周辺部での輝度の低下を改善するために、映像信号にパラボラ状の補正電圧を加算することによって、輝度補正を行うＣＲＴ装置が多数開発されている。しかしながら、パラボラ状の補正電圧を発生させる回路を、別途形成しているため、製造コストが高くなるという問題点を有している。そこで、本実施の形態は、製造コストを低減することができるＣＲＴ装置を提供することを目的とする。
【００３３】
図３を参照しながら、本実施の形態に係るＣＲＴ装置の構成について説明する。図３は、ＣＲＴ装置１１の回路構成を示した図である。ＣＲＴ装置１１は、ＣＲＴ２０と、映像信号処理を行うＲＧＢプロセッサ３０と、補正電圧を出力する補正電圧出力部４０と、コントラストを調整するバイアス抵抗６０とを備える。
補正電圧出力部４０は、ダイナミックフォーカス回路（以下、「ＤＡＦ回路」と表記する。）４１と、ＤＡＦ回路４１の出力を増幅するトランジスタ４２と、トランジスタ４２の駆動電源Ｖｔと、出力波形の直流分をカットするコンデンサ４３とを有している。トランジスタ４２のベースにはＤＡＦ回路４１の出力が接続され、エミッタは抵抗器４４を介して接地され、コレクタは、接点ｂにおいて、輝度補正制御部５０の出力端子に接続される。また、トランジスタ４２のコレクタは、抵抗器４５を介して駆動電源Ｖｔに接続されるとともに、コンデンサ４３の一端に接続される。コンデンサ４３の他端は、バイアス抵抗６０に接続され、補正電圧出力部４０が出力する補正電圧は、コントラストコントロール電圧に加算されて、ＲＧＢプロセッサ３０に入力される。
【００３４】
次に、ＣＲＴ装置１１の動作について説明する。ＤＡＦ回路４１は、そもそも、偏向角の変化に対応して電子ビームを蛍光体スクリーン上で一点にフォーカスするためにＣＲＴ装置に装備されるものであって、水平走査に同期して、走査位置がスクリーン左端もしくは右端であるときは、高い電圧を発生し、走査位置がスクリーン中央に近づくほど低い電圧を発生する特徴を有している。したがって、ＤＡＦ回路４１が発生する電圧は、トランジスタ４２によって増幅され、コンデンサ４３により直流分がカットされた後に、コントラストコントロール電圧に重畳されて、ＲＧＢプロセッサ３０に入力される。すると、映像信号は、画面周辺において輝度が高くなる変調がかけられ、画面周辺部での輝度低下が補正される。
【００３５】
図４は、本実施の形態に係るＣＲＴ装置の輝度補正結果を示したものである。
図４（ａ）及び図４（ｂ）は、画面中央部の輝度を１００としたときの画面各位置における相対輝度を表したものである。なお、輝度分布は、画面表示開始から１５分以上経過後に、輝度計のセンサを管面に直接当てることによって、全白の映像信号を入力したときの画面上各位置における輝度を測定することで求めた。
このとき、外光の影響を受けないように、外光を遮断した状態で測定した。図４（ａ）は、輝度補正を行わないときの輝度であり、図４（ｂ）は、輝度補正を行ったときの輝度である。図４（ａ）に示すように、輝度補正を行わないときの画面周辺部の相対輝度平均が５８．８であったのに対し、図４（ｂ）に示すように、ＤＡＦ回路が発生する電圧を用いて輝度補正をおこなったときの画面周辺部の相対輝度平均は８８．１に改善されている。したがって、ＤＡＦ回路が発生する電圧を補正電圧に利用することで、画面周辺部での輝度低下を補正できることが確認された。
【００３６】
以上より、本実施の形態に係るＣＲＴ装置１１は、ＤＡＦ回路が発生する電圧を輝度補正の補正電圧として利用しており、従来のＣＲＴ装置のようにパラボラ状の補正電圧を発生させる回路を別途形成する必要がないので、ＣＲＴ装置の製造コストを抑えることができる。
また、電子ビームの偏向量のひずみを補正するＳ字補正回路に取り付けられるＳ字補正用コンデンサの両端にかかる電圧を補正電圧として利用することによっても、上記と同様に画面周辺部での輝度低下を補正することができる。Ｓ字補正コンデンサの両端電圧の波形は、パラボラ状であり、かつ、水平走査に同期しているので、上記のＤＡＦ回路が発生する電圧と同様に輝度補正の補正電圧として利用することができる。これにより、パラボラ状の波形を発生させる回路を、別途作成する必要がなくなるので、ＣＲＴ装置の製造コストを抑えることができる。
【００３７】
＜変形例＞
以上、本発明を種々の実施の形態に基づいて説明してきたが、本発明の内容が、上記実施の形態に示された具体例に限定されないことは勿論であり、例えば、以下のような変形例を考えることができる。
【００３８】
（１）例えば、インターレース方式のＣＲＴにおいては、輝度検知回路５１の輝度コンデンサを６０分の１秒ごとにリフレッシュすることによって、輝度補正を実行する画面であるか、実行する必要が低い画面であるかを精度良く判定することができる。ＣＲＴ２０では、１秒間に３０枚の画面が表示されるが、インターレース方式では、画面のちらつきを防止するために、６０分の１秒ごとにフィールド走査が行われており、１枚の画面は２回のフィールド走査により形成されている。ここで、垂直同期信号に同期させて６０分の１秒ごとに輝度検知回路５１の輝度コンデンサをリフレッシュし、アノード電流の積算時間を６０分の１秒とすることで、１回目のフィールド走査での平均画面輝度を検知し、これが基準値より小さいとき場合には、２回目のフィールド走査時に補正電圧を出力せずに、輝度補正を実行しない制御を行うことができる。１回目と２回目のフィールド走査は、輝度について相関性があるので、１回目のフィールド走査の平均画面輝度に基づいて、２回目のフィールド走査時に輝度補正を実行するか否かの判断することは合理的である。また、この場合、２回目のフィールド走査時に流れるアノード電流が積算され、その結果に基づいて、次画面の１回目のフィールド走査時について、補正電圧を加算するか否かの判定がなされることになる。よって、低輝度画面から、高輝度画面に切り替わった場合には、低輝度画面の２回目のフィールド走査時の輝度は低いため、次画面である高輝度画面の１回目のフィールド走査時には、補正電圧が加算されず、画面周辺部の輝度が低下することが生じる。しかし、高輝度画面の１回目のフィールド走査をすると、アノード電流が増大して輝度コンデンサの両端電圧が基準電圧Ｖｃよりも高くなるので、高輝度画面の２回目のフィールド走査時には、補正電圧が加算されて画面周辺部の輝度低下は補正される。このように、高輝度画面については、低輝度画面から高輝度画面に切り替わったときの１回目のフィールド走査時には、輝度低下が補正されないことが起こるが、その時間が６０分の１秒と短く、また、次のフィールド走査時には輝度低下が補正されるため、人間の目はかかる輝度低下を認識することはできないので大きな問題とはならない。したがって、インターレース方式のＣＲＴにおいては、輝度検知回路５１の輝度コンデンサを６０分の１秒ごとにリフレッシュすることによって、輝度補正の実行・非実行を合理的に制御することができるので、輝度補正にともなう電力の消費を有効に低減することができる。
【００３９】
（２）上記実施の形態では、アノード電流に着目して、輝度補正の制御を行ったが、電子ビームの射出量と相関するドライブ電圧に着目して、輝度補正の制御を行ってもよい。ドライブ電圧は、カソードドライブ方式のＣＲＴにおいては、カソード電圧の変位量すなわち振幅の大きさで表され、ドライブ電圧の大きさは、電子ビームの射出量に比例する。したがって、ドライブ電圧を所定時間積算することによって、所定時間における平均画面輝度を検知することができる。輝度の高い映像信号がＲＧＢプロセッサ３０に入力され、ドライブ電圧が上昇し、平均画面輝度が基準値以上になったときには、画面周辺部での輝度低下を改善する輝度補正を実行し、平均画面輝度が基準値未満のときには、画面周辺部での輝度低下はあまり目立たないので、輝度補正を実行しない制御を行う。これによって、画面全体が暗く、輝度補正を実行する必要性の低いときには、輝度補正が実行されないので、電力消費を低減することができる。
【００４０】
【発明の効果】
以上のように、本発明に係る陰極線管装置によれば、輝度補正の実行を制御する輝度補正制御部を備え、平均画面輝度が基準値未満のときには、補正電圧出力部の出力をＯＦＦとして輝度補正を実行しない制御をする。したがって、例えば、画面全体が暗く、画面周辺部での輝度低下があまり目立たない画面のように、輝度補正をする必要性が低い場合には、輝度補正を実行しない制御を行うので、輝度補正にともなう電力の消費を有効に低減することができる。
【図面の簡単な説明】
【図１】本発明の第１の実施の形態に係る陰極線管装置の全体構成を示す図である。
【図２】本発明の第２の実施の形態に係る陰極線管装置の全体構成を示す図である。
【図３】本発明の第４の実施の形態に係る陰極線管装置の全体構成を示す図である。
【図４】第４の実施の形態に係る陰極線管装置の輝度補正結果を示す図である。
【符号の説明】
１０            ＣＲＴ装置
２０                ＣＲＴ
３０            ＲＧＢプロセッサ
４０            補正電圧出力部
４１            補正電圧発生回路
５０            輝度補正制御部
５１            輝度検知回路
５２            比較器
５３            ＯＣ
【図１】
2004253929.tif 000003
【図２】
2004253929.tif 000004
【図３】
2004253929.tif 000005
【図４】
2004253929.tif 000006